(57)【要約】【課題】補助バッグ部を速やかに膨張展開できるとともに、膨張展開した補助バッグ部の内圧を保持できるエアバッグ装置を提供する。【解決手段】エアバッグ装置は、衝撃入力時にガスを発生するインフレータと、インフレータからのガスの供給を受けて膨張展開するメインバッグ部２０と、メインバッグ部２０に連結され、メインバッグ部２０の内部から複数の連通部３１を経由してガスの供給を受けて膨張展開する補助バッグ部３０と、補助バッグ部３０の内面に固定され、複数の連通部３１をまとめて覆うとともに、補助バッグ部３０の内面における複数の連通部３１の間の部分に対して接近離間可能に形成されたシート部材４０と、を備える。【選択図】図７
2019014411.tif 000002
【特許請求の範囲】
【請求項１】
衝撃入力時にガスを発生するインフレータと、
前記インフレータからのガスの供給を受けて膨張展開するメインバッグ部と、
前記メインバッグ部に連結され、前記メインバッグ部の内部から複数の連通部を経由してガスの供給を受けて膨張展開する補助バッグ部と、
前記補助バッグ部の内面に固定され、前記複数の連通部をまとめて覆うとともに、前記補助バッグ部の内面における前記複数の連通部の間の部分に対して接近離間可能に形成されたシート部材と、
を備えることを特徴とするエアバッグ装置。
【請求項２】
前記補助バッグ部の内面と前記シート部材とが固定された一対の固定部を備え、
前記複数の連通部は、前記補助バッグ部の内面における前記一対の固定部の間に設けられ、
前記シート部材における前記一対の固定部の間の最短距離は、前記補助バッグ部の内面における前記一対の固定部の間隔よりも大きい、
ことを特徴とする請求項１に記載のエアバッグ装置。
【請求項３】
前記補助バッグ部の内面と前記シート部材とが固定された一対の固定部を備え、
前記複数の連通部は、第１方向に並んで設けられ、
前記一対の固定部は、前記連通部の前記第１方向に直交する第２方向の両側に設けられている、
ことを特徴とする請求項１または２に記載のエアバッグ装置。
【請求項４】
前記一対の固定部は、前記第１方向に沿って延び、
前記一対の固定部の前記第１方向の寸法は、前記一対の固定部の間隔よりも大きい、
ことを特徴とする請求項３に記載のエアバッグ装置。
【発明の詳細な説明】
【技術分野】
【０００１】
本発明は、エアバッグ装置に関するものである。
【背景技術】
【０００２】
従来、エアバッグ装置として、メインバッグ部と、メインバッグ部に接続し、メインバッグ部から供給されたガスにより膨張展開する補助バッグ部と、を備えたエアバッグ装置がある（例えば、特許文献１および特許文献２参照）。この種のエアバッグ装置は、例えば助手席用として使用され、車両の前面衝突時にはメインバッグ部により乗員を受け止めるとともに、例えば斜突時には補助バッグ部により乗員を受け止めるように構成される。
【０００３】
ところで、上述した構成を有するエアバッグ装置は、作動時において、膨張展開した補助バッグ部の内圧を保持し、乗員を的確に受け止めるように構成されている。例えば特許文献１に記載のエアバッグ装置は、座席の車両前方で膨張展開するメインバッグと、メインバッグの車幅方向内側に設けられ、メインバッグよりも車両後方に突出して膨張展開するセンタバッグと、メインバッグとセンタバッグとを隔てる隔壁部と、隔壁部に設けられ、メインバッグからセンタバッグへガスを通過可能にし、センタバッグからメインバッグへはガスを通過不能にする内圧保持機構と、を備える。内圧保持機構は、隔壁部に形成された孔部と、孔部をセンタバッグ部側から覆って隔壁部に接続され、各壁部から少なくとも一部が離間可能なパッチ部と、を含んでいる。パッチ部は、各孔部に対応して設けられ、孔部の全体をセンタバッグ部側から覆い、少なくとも一部が隔壁部から離間可能に、隔壁部に縫製等によって接続されている。
【０００４】
また、特許文献２に記載のエアバッグ装置は、メインバッグ部と、メインバッグ部の左右方向の一方の側面側で膨張する補助バッグ部と、を備え、補助バッグ部における斜突用拘束部がメインバッグ部より内圧を高くする高圧部として、膨張を完了させる構成とし、膨張完了時の補助バッグ部における斜突用拘束部の前方側に、メインバッグ部と連通し、かつ、区画壁により高圧部と区画されて、斜突用拘束部より内圧を低くした低圧部が配設されている。さらに区画壁には、低圧部側から高圧部側への膨張用ガスの流れを許容し、高圧部側から低圧部側への膨張用ガスの流れを規制する膨張用ガス供給機構としての逆止弁が配設されている。逆止弁は、区画壁において上下左右に近接して開口する４個の連通孔の周縁に、シート状のフラップ弁を結合させて構成されている。フラップ弁は、連通孔の周縁で、区画壁に対して、前後の縁を上下方向に沿って縫合し、中央部位を十文字状に縫合する結合部を設けて配設されている。
【先行技術文献】
【特許文献】
【０００５】
【特許文献１】特開２０１６−１５３２６２号公報
【特許文献２】特開２０１６−０４０１６０号公報
【発明の概要】
【発明が解決しようとする課題】
【０００６】
しかしながら、上記特許文献１に記載のエアバッグ装置においては、パッチ部が各孔部に対応して一つずつ設けられている。このため、センタバッグの内圧が高まった際に、パッチ部がずれてパッチ部の端縁が孔部に入り込みやい。これにより、孔部に隙間ができ、ガスがメインバッグに逆流する可能性がある。また、上記特許文献２に記載のエアバッグ装置においては、フラップ弁が区画壁における複数の連通孔の間の部分に縫合されている。このため、低圧部から高圧部にガスが流入する際にフラップ弁が区画壁から十分に離間せず、高圧部にガスがスムーズに供給されない可能性がある。したがって、従来技術のエアバッグ装置においては、補助バッグ部の膨張展開時に補助バッグ部へガスをスムーズに供給して補助バッグ部を速やかに膨張展開するとともに、補助バッグ部からメインバッグ部へのガスの逆流を確実に規制して膨張展開した補助バッグ部の内圧を保持するという課題がある。
【０００７】
そこで本発明は、補助バッグ部を速やかに膨張展開できるとともに、膨張展開した補助バッグ部の内圧を保持できるエアバッグ装置を提供するものである。
【課題を解決するための手段】
【０００８】
本発明のエアバッグ装置（例えば、実施形態におけるエアバッグ装置１０）は、衝撃入力時にガスを発生するインフレータ（例えば、実施形態におけるインフレータ１３）と、前記インフレータからのガスの供給を受けて膨張展開するメインバッグ部（例えば、実施形態におけるメインバッグ部２０）と、前記メインバッグ部に連結され、前記メインバッグ部の内部から複数の連通部（例えば、実施形態における連通部３１）を経由してガスの供給を受けて膨張展開する補助バッグ部（例えば、実施形態における補助バッグ部３０）と、前記補助バッグ部の内面に固定され、前記複数の連通部をまとめて覆うとともに、前記補助バッグ部の内面における前記複数の連通部の間の部分に対して接近離間可能に形成されたシート部材（例えば、実施形態におけるシート部材４０）と、を備えることを特徴とする。
【０００９】
本発明によれば、シート部材が複数の連通部をまとめて覆うので、補助バッグ部の内圧が高まった際には、シート部材が複数の連通部それぞれにおいてメインバッグ部側に引っ張られる。これにより、シート部材のうち隣り合う連通部の間に対応する部分が互いに逆方向に引っ張られるので、シート部材が補助バッグ部の内面に沿ってずれて連通部に入り込むことを抑制できる。よって、連通部に隙間ができてガスがメインバッグ部に逆流することを抑制できる。
また、シート部材が補助バッグ部の内面における複数の連通部の間の部分に対して接近離間可能なので、ガスがメインバッグ部から補助バッグ部に流れ込む際に、従来技術のようにシート部材が補助バッグ部の内面における複数の連通部の間の部分に縫合された構成と比較して、補助バッグ部の内面とシート部材との隙間が大きく形成される。これにより、補助バッグ部へガスをスムーズに供給することができる。
以上により、補助バッグ部を速やかに膨張展開することができるとともに、膨張展開した補助バッグ部の内圧を保持することができる。
【００１０】
上記のエアバッグ装置において、前記補助バッグ部の内面と前記シート部材とが固定された一対の固定部（例えば、実施形態における固定部４１）を備え、前記複数の連通部は、前記補助バッグ部の内面における前記一対の固定部の間に設けられ、前記シート部材における前記一対の固定部の間の最短距離は、前記補助バッグ部の内面における前記一対の固定部の間隔よりも大きい、ことが望ましい。
【００１１】
本発明によれば、一対の固定部の間でシート部材が弛んだ状態で配置される。これにより、ガスがメインバッグ部から補助バッグ部に流れ込む際に、補助バッグ部の内面とシート部材との隙間をより大きく設けることが可能となる。よって、補助バッグ部へガスをよりスムーズに供給することができる。
しかも、上述したように、補助バッグ部の内圧が高まった際に、シート部材が補助バッグ部の内面に沿ってずれることが抑制されるので、シート部材が弛むことによりシート部材の移動の自由度が高くなっても、シート部材が連通部に入り込むことが抑制される。よって、連通部に隙間ができてガスがメインバッグ部に逆流することを抑制できる。
【００１２】
上記のエアバッグ装置において、前記補助バッグ部の内面と前記シート部材とが固定された一対の固定部（例えば、実施形態における固定部４１）を備え、前記複数の連通部は、第１方向に並んで設けられ、前記一対の固定部は、前記連通部の前記第１方向に直交する第２方向の両側に設けられている、ことが望ましい。
【００１３】
本発明では、一対の固定部が連通部の第２方向の両側に設けられているので、シート部材は、ガスの逆流時に補助バッグ部の内面に対して一対の固定部が並ぶ方向に直交する第１方向に引っ張られる。また、複数の連通部が第１方向に並んでいるので、シート部材の第１方向の各端縁に近接する連通部はそれぞれ１つとなる。これらにより、ガスの逆流時にシート部材が第１方向に引っ張られて変位しても、シート部材の第１方向の端縁はそれぞれ１つの連通部に近寄るだけとなる。したがって、一対の固定部が連通部の第１方向の両側に設けられた構成と比較して、シート部材の端縁が連通部に入り込みにくくなり、連通部に隙間が形成されることを抑制できる。
【００１４】
上記のエアバッグ装置において、前記一対の固定部は、前記第１方向に沿って延び、前記一対の固定部の前記第１方向の寸法は、前記一対の固定部の間隔よりも大きい、ことが望ましい。
【００１５】
補助バッグ部の内面における矩形状の所定領域をシート部材により覆う場合には、シート部材が所定領域の長辺に沿って固定されることで、シート部材が所定領域の短辺に沿って固定される場合と比較して、シート部材を変位しにくくすることができる。本発明によれば、複数の連通部が並ぶ第１方向に沿って一対の固定部が延び、一対の固定部の第１方向の寸法が一対の固定部の間隔よりも大きいので、シート部材が上述した矩形状の領域の長辺に沿って固定された状態となる。これにより、一対の固定部が第１方向に沿って延び、一対の固定部の第１方向の寸法が一対の固定部の間隔よりも小さい場合と比較して、シート部材を変位しにくくすることができる。したがって、シート部材の端縁が連通部に入り込んで連通部に隙間が形成されることをより確実に抑制できる。
【発明の効果】
【００１６】
本発明によれば、補助バッグ部を速やかに膨張展開することができるとともに、膨張展開した補助バッグ部の内圧を保持することができるエアバッグ装置を提供できる。
【図面の簡単な説明】
【００１７】
【図１】実施形態の車両の車室内前部の平面図である。
【図２】実施形態のエアバッグ装置が作動した状態を示す図であって、車両の車室内前部を示す側面図である。
【図３】実施形態のエアバッグ装置が作動した状態を示す図であって、車両の車室内前部を示す平面図である。
【図４】実施形態のエアバッグ装置が作動した状態を示す図であって、車両の車室内前部を示す正面図である。
【図５】図２のＶ−Ｖ線における断面図である。
【図６】補助バッグ部の内面を示す図であって、図５のＶＩ矢視図である。
【図７】補助バッグ部の内面を示す図であって、図５のＶＩ矢視図である。
【図８】図７のＶＩＩＩ−ＶＩＩＩ線における断面図である。
【図９】図７のＶＩＩＩ−ＶＩＩＩ線における断面図である。
【発明を実施するための形態】
【００１８】
以下、本発明の実施形態を図面に基づいて説明する。なお以下の説明では、同一または類似の機能を有する構成に同一の符号を付す。そして、それら構成の重複する説明は省略する場合がある。
【００１９】
図１は、実施形態の車両の車室内前部の平面図である。
図１に示すように、車両１は、車室に設けられた運転席２および助手席３と、運転席２および助手席３の前方に設けられたインストルメントパネル４と、インストルメントパネル４に設置されたエアバッグ装置１０と、を備えている。なお、以下の説明における前後上下左右の向きは、特に記載が無ければ車両における前後上下左右の向きと同一とし、図中矢印ＵＰは上方、矢印ＦＲは前方、矢印ＬＨは左方をそれぞれ示している。
【００２０】
インストルメントパネル４は、パネル本体５と、蓋体６と、を有している。パネル本体５のうち、助手席３の前方に位置する部分には、パネル本体５を貫通するエアバッグ開口５ａが形成されている。エアバッグ開口５ａは、インストルメントパネル４にエアバッグ装置１０を設置するための開口である。蓋体６は、パネル本体５のエアバッグ開口５ａに嵌め込まれている。
【００２１】
図２は、実施形態のエアバッグ装置が作動した状態を示す図であって、車両の車室内前部を示す側面図である。
図２に示すように、エアバッグ装置１０は、リテーナ１１と、インフレータ１３と、エアバッグ１５と、を備えている。リテーナ１１は、エアバッグ１５を収容して保持する。リテーナ１１は、上方に向けて開口する箱型に形成されている。通常時、リテーナ１１には、エアバッグ１５が折り畳まれた状態で収容され、上部開口を蓋体６（図１参照）によって閉塞されている。インフレータ１３は、車両１への衝撃入力時に高圧のガスを発生する。
【００２２】
図３は、実施形態のエアバッグ装置が作動した状態を示す図であって、車両の車室内前部を示す平面図である。図４は、実施形態のエアバッグ装置が作動した状態を示す図であって、車両の車室内前部を示す正面図である。図５は、図２のＶ−Ｖ線における断面図である。
図２から図５に示すように、エアバッグ１５は、エアバッグ装置１０の作動時にインフレータ１３のガスにより膨張して、助手席３に着座した乗員とインストルメントパネル４との間に展開する。エアバッグ１５は、メインバッグ部２０と、メインバッグ部２０に連結された一対の補助バッグ部３０と、補助バッグ部３０の内部に設けられたシート部材４０と、補助バッグ部３０とシート部材４０とが固定された固定部４１と、を備えている。
【００２３】
図５に示すように、メインバッグ部２０は、インフレータ１３からのガスの供給を受けて膨張展開する。メインバッグ部２０は、インフレータ１３からのガスが最初に流入する部分である。メインバッグ部２０は、例えば複数枚の基布２１を縫合することにより袋状に形成されている。メインバッグ部２０は、膨張展開した状態で助手席３に着座する乗員（図２参照）の上半身に対向する後面２３を備える。メインバッグ部２０は、車両１の前面衝突時に、助手席３に着座した乗員の上半身を受け止める。メインバッグ部２０を形成する基布２１には、ベントホール２５が形成されている。ベントホール２５は、例えば左右方向の一方（図示の例では右側）に開口している。ベントホール２５は、メインバッグ部２０の膨張展開時にガスを外部に排出するために設けられている。
【００２４】
図３および図４に示すように、一対の補助バッグ部３０は、左右方向に並んで、メインバッグ部２０の後面２３に連結されている。一対の補助バッグ部３０は、メインバッグ部２０と助手席３に着座した乗員の頭部との間に膨張展開するように設けられている。より詳細に、一対の補助バッグ部３０は、車両１の前面衝突時に、助手席３に着座した乗員の頭部を一対の補助バッグ部３０の間で受け止めることができるように設けられている。また、一対の補助バッグ部３０は、車両１の斜突時に、助手席３に着座した乗員の頭部を少なくともいずれか一方の補助バッグ部３０で受け止めることができるように設けられている。
【００２５】
図４に示すように、各補助バッグ部３０は、前後方向から見て上下方向に延びる長軸を有する長円形状に形成されている。左側に設けられた補助バッグ部３０は、前後方向から見てメインバッグ部２０の左半部と重なるように設けられている。右側に設けられた補助バッグ部３０は、前後方向から見てメインバッグ部２０の右半部と重なるように設けられている。なお、一対の補助バッグ部３０は、左右対称に形成されているので、以下の説明では特に記載のない限り左側に設けられた補助バッグ部３０について説明する。
【００２６】
図５に示すように、補助バッグ部３０は、メインバッグ部２０の内部から連通部３１を経由してガスの供給を受けて膨張展開する。補助バッグ部３０は、開口部３３が形成された袋体３５と、メインバッグ部２０を形成する基布２１の一部であって開口部３３を閉塞する隔壁部３７と、により形成されている。袋体３５は、例えば１枚の基布を二つ折りにして重ね合わせ、外周縁部を縫合することで袋状に形成されている。
【００２７】
図６および図７は、補助バッグ部の内面を示す図であって、図５のＶＩ矢視図である。なお、図６では、シート部材が取り付けられていない状態を示している。
図５および図６に示すように、袋体３５には、開口部３３が形成されている。開口部３３は、袋体３５の前部に形成されている。開口部３３は、前後方向から見て上下方向に延在するとともに上下両端部が右側に向かって延出したＵ字状に形成されている。袋体３５は、開口部３３がメインバッグ部２０の後面２３により閉塞されるように、メインバッグ部２０の後方に配置されている。これにより、補助バッグ部３０の内面の一部は、メインバッグ部２０の後面２３により構成されている。メインバッグ部２０を形成する基布２１のうち、開口部３３を閉塞する部分は、補助バッグ部３０の内部と、メインバッグ部２０の内部と、を隔てる隔壁部３７となる。袋体３５は、開口部３３の開口縁に沿って全周に設けられた縫合ラインＬにおいて、メインバッグ部２０を形成する基布２１に縫合されている。縫合ラインＬのうち右側に設けられた補助バッグ部３０に左右方向で対向する部分（開口部３３の右側に位置する部分）は、右側に設けられた補助バッグ部３０から離間するように、前後方向から見て左側に窪んでいる。
【００２８】
隔壁部３７には、複数（本実施形態では一対）の連通部３１が形成されている。連通部３１は、補助バッグ部３０の内部と、メインバッグ部２０の内部と、を連通する貫通孔である。本実施形態では、連通部３１は、円孔状に形成されている。ここで、補助バッグ部３０の隔壁部３７の内面に沿う方向における第１方向および第２方向を以下のように定義する。第１方向は、前後方向から見て上下方向と一致する方向である。第２方向は、第１方向に直交する方向であって、前後方向から見て左右方向と一致する方向である。複数の連通部３１は、隔壁部３７の第１方向中央部において、第１方向に並んで設けられている。
【００２９】
図７に示すように、シート部材４０は、補助バッグ部３０の内部からメインバッグ部２０の内部へのガスの流入を規制する。シート部材４０は、例えばメインバッグ部２０を形成する基布２１と同じ材料により形成されている。シート部材４０は、平面視矩形状に形成されている。シート部材４０は、第１方向および第２方向に直交する方向から見て複数の連通部３１をまとめて覆っている。シート部材４０は、一対の固定部４１において、補助バッグ部３０の内面に対して固定されている。一対の固定部４１は、複数の連通部３１の第２方向の両側に設けられている。シート部材４０は、縫合ラインＬにおいて、メインバッグ部２０を形成する基布２１、および補助バッグ部３０の袋体３５とともに縫合されている。つまり、一対の固定部４１は、縫合ラインＬ上に形成されている。各固定部４１は、第１方向に沿って直線状に延びている。一対の固定部４１の第１方向の寸法は、互いに同等であって、一対の固定部４１の間隔よりも大きくなっている。
【００３０】
図５に示すように、シート部材４０は、補助バッグ部３０の内面に対して弛んだ状態で設けられている。具体的に、シート部材４０における一対の固定部４１の間の最短距離は、補助バッグ部３０の内面における一対の固定部４１の間隔よりも大きい。これにより、シート部材４０は、補助バッグ部３０の内面における複数の連通部３１の間の部分に対して、第１方向および第２方向に直交する方向に接近離間可能に形成されている。
【００３１】
以下、エアバッグ装置１０の動作について説明する。
図８および図９は、図７のＶＩＩＩ−ＶＩＩＩ線における断面図である。
車両１に衝撃が入力されると、インフレータ１３が高圧のガスを発生する。インフレータ１３からガスが発生すると、ガスの供給を受けてメインバッグ部２０が膨張展開する。また、メインバッグ部２０の内部にガスが供給されると、メインバッグ部２０の内部から複数の連通部３１を経由してガスの供給を受けて、一対の補助バッグ部３０が膨張展開する。この際、図８に示すように、メインバッグ部２０の内部から補助バッグ部３０の内部に流れ込むガスは、シート部材４０を押して、補助バッグ部３０の内面における複数の連通部３１の間の部分からシート部材４０を離間させる。これにより、シート部材４０と補助バッグ部３０の内面との間に隙間４３が形成され、ガスがメインバッグ部２０の内部から連通部３１および隙間４３を通って補助バッグ部３０の内部にスムーズに供給される。
【００３２】
乗員が前方移動して補助バッグ部３０に接触すると、補助バッグ部３０の内部の圧力が高まる。補助バッグ部３０の内部の圧力が高まると、補助バッグ部３０の内部における連通部３１の周囲において、補助バッグ部３０の内部からメインバッグ部２０の内部に向かうガスの流れが発生する。すると、図９に示すように、シート部材４０は、連通部３１に向かって移動し、連通部３１を閉塞するように、補助バッグ部３０の内面に密着する。これにより、補助バッグ部３０の内部からのガスの流出を抑制し、補助バッグ部３０の内圧を維持する。その結果、補助バッグ部３０は、膨張展開した形状を維持したまま乗員を受け止めることができる。この際、メインバッグ部２０の内部のガスは、ベントホール２５（図５参照）を通じて外部に放出される。
【００３３】
このように、本実施形態のエアバッグ装置１０は、補助バッグ部３０の内面に固定され、複数の連通部３１をまとめて覆うとともに、補助バッグ部３０の内面における複数の連通部３１の間の部分に対して接近離間可能に形成されたシート部材４０を備える。
この構成によれば、シート部材４０が複数の連通部３１をまとめて覆うので、補助バッグ部３０の内圧が高まった際には、シート部材４０が複数の連通部３１それぞれにおいてメインバッグ部２０側に引っ張られる。これにより、シート部材４０のうち隣り合う連通部３１の間に対応する部分が互いに逆方向に引っ張られるので、シート部材４０が補助バッグ部３０の内面に沿ってずれて連通部３１に入り込むことを抑制できる。よって、連通部３１に隙間ができてガスがメインバッグ部２０に逆流することを抑制できる。
また、シート部材４０が補助バッグ部３０の内面における複数の連通部３１の間の部分に対して接近離間可能なので、ガスがメインバッグ部２０から補助バッグ部３０に流れ込む際に、従来技術のようにシート部材４０が補助バッグ部３０の内面における複数の連通部３１の間の部分に縫合された構成と比較して、補助バッグ部３０の内面とシート部材４０との隙間４３が大きく形成される。これにより、補助バッグ部３０へガスをスムーズに供給することができる。
以上により、補助バッグ部３０を速やかに膨張展開することができるとともに、膨張展開した補助バッグ部３０の内圧を保持することができる。
【００３４】
さらに、シート部材４０における一対の固定部４１の間の最短距離は、補助バッグ部３０の内面における一対の固定部４１の間隔よりも大きいので、一対の固定部４１の間でシート部材４０が弛んだ状態で配置される。これにより、ガスがメインバッグ部２０から補助バッグ部３０に流れ込む際に、補助バッグ部３０の内面とシート部材４０との隙間４３をより大きく設けることが可能となる。よって、補助バッグ部３０へガスをよりスムーズに供給することができる。
しかも、上述したように、補助バッグ部３０の内圧が高まった際に、シート部材４０が補助バッグ部３０の内面に沿ってずれることが抑制されるので、シート部材４０が弛むことによりシート部材４０の移動の自由度が高くなっても、シート部材４０が連通部３１に入り込むことが抑制される。よって、連通部３１に隙間ができてガスがメインバッグ部２０に逆流することを抑制できる。
【００３５】
また、一対の固定部４１が連通部３１の第２方向の両側に設けられているので、シート部材４０は、ガスの逆流時に補助バッグ部３０の内面に対して一対の固定部４１が並ぶ方向に直交する第１方向に引っ張られる。また、複数の連通部３１が第１方向に並んでいるので、シート部材４０の第１方向の各端縁に近接する連通部３１はそれぞれ１つとなる。これらにより、ガスの逆流時にシート部材４０が第１方向に引っ張られて変位しても、シート部材４０の第１方向の端縁はそれぞれ１つの連通部３１に近寄るだけとなる。したがって、一対の固定部が連通部３１の第１方向の両側に設けられた構成と比較して、シート部材４０の端縁が連通部３１に入り込んで連通部３１に隙間が形成されることを抑制できる。
【００３６】
また、補助バッグ部３０の内面における矩形状の所定領域をシート部材により覆う場合には、シート部材が所定領域の長辺に沿って固定されることで、シート部材が所定領域の短辺に沿って固定される場合と比較して、シート部材を変位しにくくすることができる。本実施形態によれば、複数の連通部３１が並ぶ第１方向に沿って一対の固定部４１が延び、一対の固定部４１の第１方向の寸法が一対の固定部４１の間隔よりも大きいので、シート部材４０が上述した矩形状の領域の長辺に沿って固定された状態となる。これにより、一対の固定部が第１方向に沿って延び、一対の固定部の第１方向の寸法が一対の固定部の間隔よりも小さい場合と比較して、シート部材４０を変位しにくくすることができる。したがって、シート部材４０の端縁が連通部３１に入り込んで連通部３１に隙間が形成されることをより確実に抑制できる。
【００３７】
また、メインバッグ部２０と一方の補助バッグ部３０とが固定される縫合ラインＬのうち、他方の補助バッグ部３０に左右方向で対向する部分は、他方の補助バッグ部３０から離間するように前後方向から見て窪んでいる。これにより、縫合ラインが前後方向から見て上下方向に沿って直線状に延びている構成と比較して、乗員の頭部を左右の縫合ラインＬの間に入り込ませやすくなり、乗員の頭部の変位を規制することができる。
【００３８】
なお、本発明は、図面を参照して説明した上述の実施形態に限定されるものではなく、その技術的範囲において様々な変形例が考えられる。
例えば、上記実施形態においては、連通部３１が一対設けられているが、これに限定されず、例えば連通部が３個以上設けられていてもよい。また、全ての連通部を一直線上に並べる必要はない。
【００３９】
また、上記実施形態においては、連通部３１が円孔状に形成されているが、これに限定されず、例えば矩形孔状に形成されていてもよい。
また、上記実施形態においては、補助バッグ部３０がメインバッグ部２０に対して縫合により連結されているが、これに限定されず、例えば熱圧着や接着等により連結されていてもよい。
【００４０】
また、上記実施形態においては、隔壁部３７がメインバッグ部２０を形成する基布２１により形成されているが、これに限定されない。例えば、メインバッグ部２０の基布２１と補助バッグ部を形成する基布とを重ね合わせることにより、隔壁部を形成してもよい。
また、上記実施形態においては、一対の固定部４１が縫合ラインＬ上に形成されているが、縫合ラインＬとは異なる箇所に設けられていてもよい。
【００４１】
また、上記実施形態においては、シート部材４０が弛んだ状態で設けられているが、これに限定されず、シート部材は、弛みを有さない状態で設けられていてもよい。
また、上記実施形態においては、シート部材４０が基布２１と同じ材料により形成されているが、これに限定されない。シート部材は、例えば伸縮性を有する材料により形成され、ガスがメインバッグ部２０の内部から補助バッグ部３０の内部に流れ込む際にガスに押させて伸び、補助バッグ部３０の内面に対して弛むように構成されていてもよい。
【００４２】
また、上記実施形態においては、シート部材４０は、第１方向および第２方向に直交する方向から見て、全ての連通部３１の全体を覆っているが、これに限定されず、各連通部３１の少なくとも一部を覆っていればよい。すなわち、シート部材は、全ての連通部３１それぞれの一部を覆うように配置されていてもよい。また、シート部材は、複数の連通部３１のうち一部の連通部３１の全体を覆うように、かつ残りの連通部３１の一部を覆うように配置されていてもよい。いずれの場合であっても、補助バッグ部３０の内圧が高まった際に、設計された隙間よりも大きな隙間が連通部３１にできて、ガスがメインバッグ部２０に想定以上に逆流することを抑制できる。
【００４３】
その他、本発明の趣旨を逸脱しない範囲で、上記した実施の形態における構成要素を周知の構成要素に置き換えることは適宜可能である。
【符号の説明】
【００４４】
１０…エアバッグ装置  １３…インフレータ  ２０…メインバッグ部  ３０…補助バッグ部  ３１…連通部  ４０…シート部材  ４１…固定部
【図１】
2019014411.tif 000003
【図２】
2019014411.tif 000004
【図３】
2019014411.tif 000005
【図４】
2019014411.tif 000006
【図５】
2019014411.tif 000007
【図６】
2019014411.tif 000008
【図７】
2019014411.tif 000009
【図８】
2019014411.tif 000010
【図９】
2019014411.tif 000011